(57)【要約】【課題】  タイマ予約録画後に、記録媒体の記録領域に所望の残り容量を残して、タイマ予約録画のテレビ放送番組の映像音声データを記録媒体に録画することができるようにする。【解決手段】  タイマ予約録画前の記録媒体の記録領域の残り容量と指定されたタイマ予約録画後の記録媒体の記録領域の残り容量とに基づいて、タイマ予約録画の映像音声データを記録媒体に録画するビットレートを算出し、算出されたビットレートに基づいてタイマ予約録画の映像音声データを記録媒体に録画するようにする。【選択図】        図４
2005295438.tif 000002
【特許請求の範囲】
【請求項１】
映像音声データを記録媒体に録画再生する録画再生装置であって、
タイマ予約録画後の記録媒体の記録領域の残り容量を指定する残り容量指定手段と、タイマ予約録画の映像音声データの録画時間を算出する録画時間算出手段と、タイマ予約録画前の記録媒体の記録領域の残り容量を算出する残り容量算出手段と、前記残り容量算出手段により算出されたタイマ予約録画前の記録媒体の記録領域の残り容量と前記残り容量指定手段により指定されたタイマ予約録画後の記録媒体の記録領域の残り容量とに基づいて、前記録画時間算出手段により算出された録画時間のタイマ予約録画の映像音声データを記録媒体に録画するビットレートを算出するビットレート算出手段と、前記ビットレート算出手段により算出されたビットレートが可変範囲内のビットレートである場合、前記ビットレート算出手段により算出されたビットレートでタイマ予約録画の映像音声データを記録媒体に録画し、前記ビットレート算出手段により算出されたビットレートが最低ビットレート以下である場合、最低ビットレートでタイマ予約録画の映像音声データを記録媒体に録画する録画手段とを備えたことを特徴とする録画再生装置。
【請求項２】
映像音声データを記録媒体に録画再生する録画再生装置であって、
タイマ予約録画後の記録媒体の記録領域の残り容量を指定する残り容量指定手段と、タイマ予約録画の映像音声データの録画時間を算出する録画時間算出手段と、タイマ予約録画前の記録媒体の記録領域の残り容量を算出する残り容量算出手段と、前記残り容量算出手段により算出されたタイマ予約録画前の記録媒体の記録領域の残り容量と前記残り容量指定手段により指定されたタイマ予約録画後の記録媒体の記録領域の残り容量とに基づいて、前記録画時間算出手段により算出された録画時間のタイマ予約録画の映像音声データを記録媒体に録画するビットレートを算出するビットレート算出手段と、前記ビットレート算出手段により算出されたビットレートに基づいて、タイマ予約録画の映像音声データを記録媒体に録画する録画手段とを備えたことを特徴とする録画再生装置。
【請求項３】
前記録画手段は、前記ビットレート算出手段により算出されたビットレートが可変範囲内のビットレートである場合、前記ビットレート算出手段により算出されたビットレートでタイマ予約録画の映像音声データを記録媒体に録画する録画手段であることを特徴とする請求項２記載の録画再生装置。
【請求項４】
前記録画手段は、前記ビットレート算出手段により算出されたビットレートが最低ビットレート以下である場合、最低ビットレートでタイマ予約録画の映像音声データを記録媒体に録画する録画手段であることを特徴とする請求項２記載の録画再生装置。
【請求項５】
映像音声データを記録媒体に録画再生する録画再生装置の録画方法であって、
タイマ予約録画の映像音声データの録画時間を算出するステップと、タイマ予約録画前の記録媒体の記録領域の残り容量を算出するステップと、算出されたタイマ予約録画前の記録媒体の記録領域の残り容量と指定されたタイマ予約録画後の記録媒体の記録領域の残り容量とに基づいて、算出された録画時間のタイマ予約録画の映像音声データを記録媒体に録画するビットレートを算出するステップと、算出された前記ビットレートが可変範囲内のビットレートである場合、算出されたビットレートでタイマ予約録画の映像音声データを記録媒体に録画するステップと、算出されたビットレートが最低ビットレート以下である場合、最低ビットレートでタイマ予約録画の映像音声データを記録媒体に録画するステップとを備えたことを特徴とする録画再生装置の録画方法。
【発明の詳細な説明】
【技術分野】
【０００１】
本発明は、映像音声データを記録媒体に録画再生する録画再生装置に係り、特に記録媒体の記録領域に所望の残り容量を残してタイマ予約録画のテレビ放送番組の映像音声データを録画することができる録画再生装置に関する。
【背景技術】
【０００２】
従来、ＤＶＤ−Ｒ（Ｄｉｇｉｔａｌ  Ｖｅｒｓａｔｉｌｅ  Ｄｓｉｋ−Ｒｅｃｏｒｄａｂｌｅ）、ＤＶＤ−ＲＷ（Ｄｉｇｉｔａｌ  Ｖｅａｓａｔｉｌｅ  Ｄｉｓｋ−ＲｅＷｒｉｔａｂｌｅ）等の光ディスク、ハードディスク等の記録媒体にテレビ放送番組の映像音声データをタイマ予約録画する場合、ＸＰ（９．８Ｍｂｐｓ）、ＳＰ（５Ｍｂｐｓ）、ＬＰ（２．５Ｍｂｐｓ）モード等の予め用意されたビットレートの１つを選択して、タイマ予約録画のテレビ放送番組の映像音声データを記録媒体に録画するようになっていた。そのため、タイマ予約録画のテレビ放送番組の映像音声データを記録媒体に録画した後に、記録媒体の記録領域に別番組を録画するための所望の残り容量を残すことができないという問題点があった。
背景技術としては、映像番組の録画時間に対して記録媒体の残り記録容量が不足し、その不足の程度が軽度な場合に、残り容量不足度合い指標を算出して、残り容量不足の度合いに関連する指標に基づき、ビットレートを標準ビットレートより所定割合だけ低くなるように自動的に変更するようにしたものがあった（例えば、特許文献１参照）。
また、記録媒体の残り容量と映像音声データの録画時間とに基づいて、最低ビットレートで記録すると記録媒体に残り容量が残る場合に、記録媒体の残り容量が少なくなるように最低ビットレートよりも大きな目標ビットレートを算出して、算出されたビットレートで映像音声データを録画するようにしたものがあった（例えば、特許文献２参照）。
【特許文献１】特開平９−２８４７１５号公報
【特許文献２】特開２００１−２８７３２号公報
【発明の開示】
【発明が解決しようとする課題】
【０００３】
しかしながら、背景技術で述べたもののうち前者においては、映像番組の録画時間に対して記録媒体の残り記録容量が不足し、その不足の程度が軽度な場合に、残り容量不足度合い指標を算出して、残り容量不足の度合いに関連する指標に基づき、ビットレートを標準ビットレートより所定割合だけ低くなるように自動的に変更することができたが、タイマ予約録画後に、記録媒体の記録領域に所望の残り容量を残して、タイマ予約録画のテレビ放送番組の映像音声データを記録媒体に録画することができないという問題点を解決するものではなかった。
また、後者においては、記録媒体の残り容量と映像音声データの録画時間とに基づいて、最低ビットレートで記録すると記録媒体に残り容量が残る場合に、記録媒体の残り容量が少なくなるように最低ビットレートよりも大きな目標ビットレートを算出して、算出されたビットレートで映像音声データを録画することができたが、上記同様、タイマ予約録画後に、記録媒体の記録領域に所望の残り容量を残して、タイマ予約録画のテレビ放送番組の映像音声データを記録媒体に録画することができないという問題点を解決するものではなかった。
本発明は、背景技術の有するこのような問題点に鑑みてなされたものであり、その目的とするところは、タイマ予約録画後に、記録媒体の記録領域に所望の残り容量を残して、タイマ予約録画のテレビ放送番組の映像音声データを記録媒体に録画することができる録画再生装置を提供しようとするものである。
【課題を解決するための手段】
【０００４】
上記目的を達成するため本発明においては、映像音声データを記録媒体に録画再生する録画再生装置であって、タイマ予約録画後の記録媒体の記録領域の残り容量を指定する残り容量指定手段と、タイマ予約録画の映像音声データの録画時間を算出する録画時間算出手段と、タイマ予約録画前の記録媒体の記録領域の残り容量を算出する残り容量算出手段と、前記残り容量算出手段により算出されたタイマ予約録画前の記録媒体の記録領域の残り容量と前記残り容量指定手段により指定されたタイマ予約録画後の記録媒体の記録領域の残り容量とに基づいて、前記録画時間算出手段により算出された録画時間のタイマ予約録画の映像音声データを記録媒体に録画するビットレートを算出するビットレート算出手段と、前記ビットレート算出手段により算出されたビットレートに基づいて、タイマ予約録画の映像音声データを記録媒体に録画する録画手段とを備える。
前記録画手段は、前記ビットレート算出手段により算出されたビットレートが可変範囲内のビットレートである場合、前記ビットレート算出手段により算出されたビットレートでタイマ予約録画の映像音声データを記録媒体に録画するようにするとよい。
前記録画手段は、前記ビットレート算出手段により算出されたビットレートが最低ビットレート以下である場合、最低ビットレートでタイマ予約録画の映像音声データを記録媒体に録画するようにするとよい。
これらの手段により、タイマ予約録画後に、記録媒体の記録領域に所望の残り容量を残して、タイマ予約録画のテレビ放送番組の映像音声データを記録媒体に録画することができる。
【発明の効果】
【０００５】
請求項１記載の発明に係る録画再生装置によれば、タイマ予約録画前の記録媒体の記録領域の残り容量と指定されたタイマ予約録画後の記録媒体の記録領域の残り容量とに基づいて、タイマ予約録画の映像音声データを記録媒体に録画するビットレートを算出し、算出されたビットレートが可変範囲内のビットレートである場合、算出されたビットレートでタイマ予約録画の映像音声データを記録媒体に録画し、算出されたビットレートが最低ビットレート以下である場合、最低ビットレートでタイマ予約録画の映像音声データを記録媒体に録画するようにしているので、可変範囲のビットレートでタイマ予約録画のテレビ放送番組の映像音声データを記録媒体に録画して、タイマ予約録画後に、記録媒体の記録領域に所望の残り容量を残すことができるとともに、記録媒体の記録領域に所望の残り容量を残すことができない場合、最低ビットレートでタイマ予約録画のテレビ放送番組の映像音声データを記録媒体に録画することができる。
請求項２記載の発明に係る録画再生装置によれば、タイマ予約録画前の記録媒体の記録領域の残り容量と指定されたタイマ予約録画後の記録媒体の記録領域の残り容量とに基づいて、タイマ予約録画の映像音声データを記録媒体に録画するビットレートを算出し、算出されたビットレートに基づいてタイマ予約録画の映像音声データを記録媒体に録画するようにしているので、タイマ予約録画後に、記録媒体の記録領域に所望の残り容量を残して、タイマ予約録画のテレビ放送番組の映像音声データを記録媒体に録画することができる。
請求項３記載の発明に係る録画再生装置によれば、算出されたビットレートが可変範囲内のビットレートである場合、算出されたビットレートでタイマ予約録画の映像音声データを記録媒体に録画するするようにしているので、可変範囲のビットレートでタイマ予約録画のテレビ放送番組の映像音声データを記録媒体に録画して、タイマ予約録画後に、記録媒体の記録領域に所望の残り容量を残すことができる。
請求項４記載の発明に係る録画再生装置によれば、算出されたビットレートが最低ビットレート以下である場合、最低ビットレートでタイマ予約録画の映像音声データを記録媒体に録画するようにしているので、記録媒体の記録領域に所望の残り容量を残すことができない場合、最低ビットレートでタイマ予約録画のテレビ放送番組の映像音声データを記録媒体に録画することができる。
請求項５記載の発明に係る録画再生装置によれば、タイマ予約録画前の記録媒体の記録領域の残り容量と指定されたタイマ予約録画後の記録媒体の記録領域の残り容量とに基づいて、タイマ予約録画の映像音声データを記録媒体に録画するビットレートを算出し、算出されたビットレートが可変範囲内のビットレートである場合、算出されたビットレートでタイマ予約録画の映像音声データを記録媒体に録画し、算出されたビットレートが最低ビットレート以下である場合、最低ビットレートでタイマ予約録画の映像音声データを記録媒体に録画するようにしているので、可変範囲のビットレートでタイマ予約録画のテレビ放送番組の映像音声データを記録媒体に録画して、タイマ予約録画後に、記録媒体の記録領域に所望の残り容量を残すことができるとともに、記録媒体の記録領域に所望の残り容量を残すことができない場合、最低ビットレートでタイマ予約録画のテレビ放送番組の映像音声データを記録媒体に録画することができる。
【発明を実施するための最良の形態】
【０００６】
以下、適宜図面を参照しながら本発明を実施するための最良の形態を詳述する。図１は本発明の一実施例の録画再生装置の構成を示すブロック図であり、図２は本発明の一実施例の録画再生装置のタイマ予約録画の設定画面の一例を示す説明図であり、図３は本発明の一実施例の録画再生装置の光ディスクの記録領域の記録状態を模式的に示す説明図であり、図４は本発明の一実施例の録画再生装置の動作を示すフローチャートである。
まず、図１の本発明の一実施例の録画再生装置の構成を示すブロック図を基に説明する。
録画再生装置１は、アンテナ１２により受信されたテレビ放送電波から選択されたチャンネルのデジタル放送のテレビ放送を受信するチューナ２と、ＭＰＥＧ方式で圧縮されたデジタル信号の映像音声データを伸長してデジタル信号の映像音声データを復号するデコーダ３と、デジタル信号の映像音声データのビットレートを変換するビットレート変換部４と、デジタル信号の映像音声データをＭＰＥＧ方式で圧縮して符号化するエンコーダ５と、デジタル信号の映像音声データのタイムスタンプ処理、多重化、多重化の解除等のストリーム処理を行うストリーム処理部６と、デジタル信号の映像音声データをＤＶＤ−Ｒ、ＤＶＤ−ＲＷ等の光ディスクに記録再生するＤＶＤ部７と、デジタル信号の映像音声データをアナログ信号の映像音声信号に変換するＤＡ（Ｄｉｇｉｔａｌ−Ａｎａｌｏｇ）変換回路８と、文字情報信号を映像信号に重畳してモニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路９と、録画再生装置１のシステム全体を制御するマイコン１０と、リモコン装置２０から送信されたリモコン信号を受信して所定の電気信号に変換するリモコン受信部１１とで構成されている。
以上のように構成された録画再生装置について、以下その動作について説明する。
リモコン装置２０のキー操作によりメニュ画面の表示が指令されると、リモコン装置２０から赤外線信号のリモコン信号が送信され、送信された赤外線信号のリモコン信号がリモコン受信部１１により受信され、所定の電気信号に変換されてマイコン１０に送出される。リモコン装置２０のキー操作によりメニュ画面の表示が指令されると、マイコン１０は、文字情報信号と制御信号とをＯＳＤ回路９に送出して、モニタ装置３０の画面にメニュ画面を表示する（図示せず）。そして、リモコン装置２０のキー操作によりモニタ装置３０の画面に表示されたメニュ画面のタイマ予約録画の設定が選択されると、マイコン１０は、文字情報信号と制御信号とをＯＳＤ回路９に送出して、モニタ装置３０の画面３０ａにタイマ予約録画の設定画面を表示する（図２参照）。リモコン装置２０のキー操作によりタイマ予約録画するテレビ放送番組の予約録画日、録画開始時刻、録画終了時刻、放送チャンネル、タイマ予約録画後に光ディスクの記録領域に残す標準ビットレートで映像音声データを録画することができる残り容量Ａ（図２参照）とが設定され、タイマ予約録画が予約されると、マイコン１０は、設定されたタイマ予約録画をマイコン１０の内蔵メモリに記憶する。
タイマ予約録画が設定されたテレビ放送番組の録画日、録画開始時刻になると、マイコン１０は、チューナ２に制御信号を送出して、アンテナ１２により受信されたテレビ放送電波から選択されたチャンネルのテレビ放送を受信し、デコーダ３、ビットレート変換部４、エンコーダ５、ストリーム処理部６に制御信号を送出して、受信したテレビ放送番組の映像音声データを復号して所定のビットレートに変換し、所定のビットレートに変換された映像音声データをＭＰＥＧ方式で圧縮して符号化し、符号化された映像音声信号を多重化してＤＶＤ部７の光ディスクに録画する。テレビ放送番組の映像音声データを光ディスクに録画する際、マイコン１０は、タイマ予約録画のテレビ放送番組の録画開始時刻から録画終了時刻までの録画時間とＤＶＤ部７に装着されたタイマ予約録画前の光ディスクの記録領域の残り容量とを算出して、タイマ予約録画前の光ディスクの記憶領域の残り容量と指定されたタイマ予約録画後の光ディスクの記録領域の残り容量とに基づいて、算出された録画時間のテレビ放送番組の映像音声データを光ディスクに録画するビットレートを算出し、算出されたビットレートに基づいてタイマ予約録画のテレビ放送番組の映像音声データをＤＶＤ部７に装着された光ディスクに録画する。
映像音声データを光ディスクに録画するビットレートについて以下に説明する。以下の説明において、映像音声データを光ディスクに録画する標準ビットレートを１０Ｍｂｐｓ、最低ビットレートを１Ｍｂｐｓとして、ビットレートは１０Ｍｂｐｓから１Ｍｂｐｓまでの範囲内で可変できるものとして説明する。光ディスクの記録領域に既に映像音声データが記録されていて、光ディスクの記録領域の残り容量が４．５０ＧＢである場合に、録画時間が６０分のテレビ放送番組の映像音声データを光ディスクに録画した後に、標準ビットレートで３０分の映像音声データを録画することができる残り容量を光ディスクの記録領域に残すことが指定されたタイマ予約録画が予約されている場合（図２の参照。タイマ予約録画１）、標準ビットレート１０Ｍｂｐｓで３０分の映像音声データを録画することができる光ディスクの記憶領域の残り容量２．２５ＧＢ（＝１０Ｍｂｐｓ×３０分）と、録画時間が６０分のテレビ放送番組の映像音声データを光ディスクに録画するビットレート５Ｍｂｐｓ（＝４．５０ＧＢ−２．２５ＧＢ）／６０分）とを算出して、算出されたビットレートでタイマ予約録画のテレビ放送番組の映像音声データＢ１を光ディスクに録画し、記録領域の残り容量Ｂ２を光ディスクの記録領域に残すようにする（図３（ａ）参照）。
また、光ディスクの記録領域の残り容量が２．２５ＧＢになっている場合に、録画時間が６０分のテレビ放送番組の映像音声データを光ディスクに録画した後、標準ビットレートで１５分の映像音声データを録画することができる残り容量を光ディスクの記録領域に残すことが指定されたタイマ予約録画が予約されている場合（図２の参照。タイマ予約録画２）、標準ビットレート１０Ｍｂｐｓで１５分の映像音声データを録画することができるディスクの記憶領域の残り容量１．１３ＧＢ（＝１０Ｍｂｐｓ×１５分）と、録画時間が６０分のテレビ放送番組の映像音声データを録画するビットレート２．５Ｍｂｐｓ（＝（２．２５−１．１３）／６０分）とを算出して、算出されたビットレートでタイマ予約録画のテレビ放送番組の映像音声データＢ３を光ディスクに録画し、残り容量Ｂ４を光ディスクの記録領域に残すようにする（図３（ｂ）参照）。
また、光ディスクの記録領域の残り容量が１．１３ＧＢになっている場合に、録画時間が９０分のテレビ放送番組の映像音声データを光ディスクに録画した後、標準ビットレートで１０分の映像音声データを録画することができる残り容量を光ディスクの記録領域に残すことが指定されたタイマ予約録画が予約されている場合（図２の参照。タイマ予約録画３）、標準ビットレート１０Ｍｂｐｓで１０分の映像音声データを録画することができる残り容量０．７５ＧＢ（＝１０Ｍｂｐｓ×１０分）と、録画時間が９０分のテレビ放送番組の映像音声データを録画するビットレート０．５６Ｍｂｐｓ（＝（１．１３ＧＢ−０．７５ＧＢ）／９０分）とを算出すると、算出されたビットレートが可変範囲内のビットレート以下となり、最低ビットレート１Ｍｂｐｓより小さくなるので、最低ビットレート１Ｍｂｐｓでタイマ予約録画が設定されたテレビ放送番組の映像音声データＢ５を光ディスクに録画する（図３（ｃ）参照）。タイマ予約録画後には、光ディスクの記録領域に、３．６４ＧＢ（＝１．１３ＧＢ−１Ｍｂｐｓ×９０分）の容量が残る。
また、図４の本発明の一実施例の録画再生装置の動作を示すフローチャートを基に説明する。
タイマ予約録画が予約されたテレビ放送番組の録画日、録画開始時刻になると、ステップＳ１からステップＳ２に進み、タイマ予約録画のテレビ放送番組の録画開始時刻から録画終了時刻までの録画時間とタイマ予約録画前の光ディスクの記録領域の残り容量とが算出され、タイマ予約録画前の光ディスクの記録領域の残り容量と指定されたタイマ予約録画後の光ディスクの記録領域の残り容量とに基づいて、算出された録画時間のタイマ予約録画のテレビ放送番組の映像音声データを光ディスクに録画するビットレートが算出され、ステップＳ３に進む。
ステップＳ３で、算出されたビットレートが可変範囲内のビットレートであるか否かが判断され、算出されたビットレートが可変範囲内のビットレートである場合、ステップＳ４に進み、算出されたビットレートが可変範囲内のビットレートでなく、最低ビットレート以下である場合、ステップＳ５に進む。
ステップＳ４で、算出されたビットレートでタイマ予約録画のテレビ放送番組の映像音声データが光ディスクに録画され、ステップＳ６に進んで処理を終了する。
ステップＳ５で、最低ビットレートでタイマ予約録画のテレビ放送番組の映像音声データが光ディスクに録画され、ステップＳ６に進んで処理を終了する。
以上、本発明を実施するための最良の形態について詳述したが、本発明はこれに限らず、当業者の通常の知識の範囲内でその変形や改良が可能である。例えば、光ディスクを記録媒体として、光ディスクの記録領域に所望の残り容量を残してテレビ放送番組を予約録画することを説明したが、ハードディスクの記録領域に所望の残り容量を残してテレビ放送番組を予約録画するようにしてもよい。
【図面の簡単な説明】
【０００７】
【図１】本発明の一実施例の録画再生装置の構成を示すブロック図である。
【図２】本発明の一実施例の録画再生装置のタイマ予約録画の設定画面の一例を示す説明図である。
【図３】本発明の一実施例の録画再生装置の光ディスクの記録領域の記録状態を模式的に示す説明図である。
【図４】本発明の一実施例の録画再生装置の動作を示すフローチャートである。
【符号の説明】
【０００８】
１  録画再生装置
２  チューナ
３  デコーダ
４  ビットレート変換部
５  エンコーダ
６  ストリーム処理部
７  ＤＶＤ部
８  ＤＡ変換回路
９  ＯＳＤ回路
１０  マイコン
１１  リモコン受信部
１２  アンテナ
２０  リモコン装置
３０  モニタ装置
３０ａ  画面
【図１】
2005295438.tif 000003
【図２】
2005295438.tif 000004
【図３】
2005295438.tif 000005
【図４】
2005295438.tif 000006